(57)【要約】【課題】機器がネットワークに接続してない場合でも、過去及び現在のアクセス履歴から、ネットワークに接続していない機器が保持するフォルダを表示すること。【解決手段】本発明の電子機器は、フォルダ階層情報に基づき、現在アクセス不可能である前記他機器のフォルダ、又は現在アクセス可能な前記他機器のフォルダを含むフォルダ構造イメージを生成するフォルダ構造イメージ生成部と、前記フォルダ構造イメージ生成部が生成したフォルダ構造イメージに基づき、現在アクセス不可能である前記他機器のフォルダ、又は現在アクセス可能な前記他機器のフォルダへの巡回アクセス履歴を前記表示部に表示させる表示制御部と、を備える。【選択図】図１
2012194654.tif 000002
【特許請求の範囲】
【請求項１】
ＴＣＰ／ＩＰネットワークを介して一又は複数の他機器と接続可能な電子機器であって、
表示部と、
前記一又は複数の他機器から、前記一又は複数の他機器が保持するフォルダへのアクセス履歴を示すフォルダ巡回履歴を取得するフォルダ巡回履歴管理部と、
前記取得されたフォルダ巡回履歴に基づき、前記他機器のフォルダ階層情報及び巡回ルート毎に巡回先のフォルダへの他機器のアクセス状態を示す巡回情報管理テーブルを生成するフォルダ構造解析部と、
前記巡回情報管理テーブル及び前記他機器のフォルダ階層情報を記憶する蓄積部と、
前記蓄積部に記憶されたフォルダ階層情報に基づき、現在アクセス不可能である前記他機器のフォルダ、又は現在アクセス可能な前記他機器のフォルダを含むフォルダ構造イメージを生成するフォルダ構造イメージ生成部と、
前記フォルダ構造イメージ生成部が生成したフォルダ構造イメージに基づき、現在アクセス不可能である前記他機器のフォルダ、又は現在アクセス可能な前記他機器のフォルダへの巡回アクセス履歴を前記表示部に表示させる表示制御部と、
を備えた電子機器。
【請求項２】
請求項１に記載の電子機器であって、
前記一又は複数の他機器とデータを送受信する通信制御部を備え、
現在アクセス不可能である前記他機器のフォルダへ巡回アクセスを予約する場合、前記フォルダ巡回履歴管理部が、現在アクセス不可能である前記他機器のフォルダを指定し、
前記フォルダ巡回履歴管理部が指定した前記他機器のフォルダにアクセス可能になると、前記通信制御部が、前記フォルダ巡回履歴管理部が指定した前記他機器のフォルダ内にあるデータをダウンロード（Ｄｏｗｎｌｏａｄ）するか、又は引き出す（ＰＵＬＬ）し、
前記表示制御部が、前記他機器のフォルダから前記通信制御部を介してダウンロード（Ｄｏｗｎｌｏａｄ）したデータ、又は引き出された（ＰＵＬＬ）データを前記表示部に表示させる、
電子機器。
【請求項３】
請求項１に記載の電子機器であって、
前記巡回情報管理テーブルに含まれる前記他機器のフォルダのフォルダ情報に含まれるアクセス頻度を参照して、前記他機器のフォルダのアクセス経路を示すフォルダパスの設定を変更するフォルダ巡回情報取得部を備え、
前記フォルダ巡回情報取得部が、前記他機器のフォルダへのアクセス頻度が所定値以上であると判定した場合には、
前記表示制御部は、前記他機器のフォルダのアクセス経路を示すフォルダパスの設定を変更の確認を促すメッセージを前記表示部に表示させる、
電子機器。
【請求項４】
請求項１に記載の電子機器であって、
前記フォルダ構造解析部は、
前記取得されたフォルダ巡回履歴に基づき、巡回ルート毎に巡回先の他機器のフォルダのフォルダ情報に含まれるアクセス頻度、又は注目度を解析し、
前記表示制御部は、
前記表示部の表示方向に応じて、前記フォルダ構造解析部が解析した前記他機器のアクセス頻度、又は注目度の高い順に前記表示部に前記巡回フォルダ履歴を表示する、
電子機器。
【請求項５】
ＴＣＰ／ＩＰネットワークを介して一又は複数の他機器と接続可能な電子機器における通信方法であって、
前記一又は複数の他機器から、前記一又は複数の他機器が保持するフォルダへのアクセス履歴を示すフォルダ巡回履歴を取得するステップと、
前記取得されたフォルダ巡回履歴に基づき、前記他機器のフォルダ階層情報及び巡回ルート毎に巡回先のフォルダへの他機器のアクセス状態を示す巡回情報管理テーブルを生成するステップと、
前記巡回情報管理テーブル及び前記他機器のフォルダ階層情報を記憶するステップと、
前記フォルダ階層情報に基づき、現在アクセス不可能である前記他機器のフォルダ、又は現在アクセス可能な前記他機器のフォルダを含むフォルダ構造イメージを生成するステップと、
前記生成されたフォルダ構造イメージに基づき、現在アクセス不可能である前記他機器のフォルダ、又は現在アクセス可能な前記他機器のフォルダへの巡回アクセス履歴を表示部に表示させるステップと、
を備える通信方法。
【請求項６】
コンピュータに、請求項５記載の各ステップを実行させるための通信プログラム。
【請求項７】
一又は複数の他機器と、ＴＣＰ／ＩＰネットワークを介して前記一又は複数の他機器と接続可能なサーバとを備える通信システムであって、
前記サーバは、
前記一又は複数の他機器から、前記一又は複数の他機器が保持するフォルダへのアクセス履歴を示すフォルダ巡回履歴を取得するフォルダ巡回履歴管理部と、
前記取得されたフォルダ巡回履歴に基づき、前記他機器のフォルダ階層情報及び巡回ルート毎に巡回先のフォルダへの他機器のアクセス状態を示す巡回情報管理テーブルを生成するフォルダ構造解析部と、
前記巡回情報管理テーブル及び前記他機器のフォルダ階層情報を記憶する蓄積部と、
前記蓄積部に記憶されたフォルダ階層情報に基づき、現在アクセス不可能である前記他機器のフォルダ、又は現在アクセス可能な前記他機器のフォルダを含むフォルダ構造イメージを生成するフォルダ構造イメージ生成部と、を備え、
前記一又は複数の他機器は、
表示部と、
前記サーバと通信する通信制御部と、
前記フォルダ構造イメージ生成部が生成したフォルダ構造イメージに基づき、現在アクセス不可能である前記他機器のフォルダ、又は現在アクセス可能な前記他機器のフォルダへの巡回アクセス履歴を前記表示部に表示させる表示制御部と、を備える、
通信システム。
【発明の詳細な説明】
【技術分野】
【０００１】
本発明は、電子機器、通信方法、通信プログラム、及び通信システムに関する。
【背景技術】
【０００２】
ＤＬＮＡ（Digital Living Network Alliance；登録商標）では、家庭内の様な小さいネットワークにつながる機器間でのデータの送受信方法を規定している（非特許文献１参照）。近年、ＤＬＮＡ機能を搭載した機器は増えており、ユーザが複数機器のデータを共有する機会が増えている。ＤＬＮＡ機器の例として、携帯電話やＤＳＣなどが挙げられる。ＤＬＮＡ機器は重要なデータサーバとなるが、ＤＬＮＡ機器がネットワークから接続が解除されると、ネットワークに接続する他のＤＬＮＡ機器は、接続が解除されたＤＬＮＡ機器が保持するデータの存在自体が分からなくなる。
【０００３】
上述のようなＤＬＮＡ機器で構成されるネットワークの運用上の問題に対して、特許文献１、２に開示されている技術では、コンテンツを閲覧するＤＬＮＡ機器が、他のＤＬＮＡ機器が提供するコンテンツを選択する方法を軽減する手法を開示している。
【０００４】
ＤＬＮＡ対応機器とは、ＤＬＮＡのガイドラインに準拠する機器を指す。ＤＬＮＡガイドラインでは、既存規格の細部や手順を調整したプロトコルの統一を図っており、既存の規格を組み合わせて互換性を実現している（非特許文献１参照）。たとえば、機器を繋ぐ有線・無線ネットワークの方式は、有線がイーサネット（Ｅｔｈｅｒｎｅｔ；登録商標）、無線がＷｉ−Ｆｉ（登録商標）といった規格を利用することができる。また、機器同士の検索にはＵＰｎＰ、ファイル転送の手順にはＨＴＴＰ、機器同士のメタデータのやりとりにはＸＭＬを利用することができる。したがって、ＤＬＮＡ対応機器が接続された家庭内のネットワークでは、ＤＬＮＡ対応機器は、家庭内のサーバ装置から動画データを受け取ることができたり、画像ファイルを家庭内のサーバ装置にアップロードすることができる。また、ＤＬＮＡ対応機器が接続された家庭内のネットワークでは、コンテンツデータを家庭内のネットワークに接続された装置で共有することができる。
【先行技術文献】
【特許文献】
【０００５】
【特許文献１】特開２０１０−０６１６９２号公報
【特許文献２】特開２００８−０４０８９３号公報
【非特許文献】
【０００６】
【非特許文献１】ＤＬＮＡ  Ｇｕｉｄｅｌｉｎｅｓ  Ｖｅｒｓｉｏｎ  １．５
【発明の概要】
【発明が解決しようとする課題】
【０００７】
しかしながら、いずれの特許文献に開示されている技術でも、コンテンツを提供する他のＤＬＮＡ機器がネットワークに接続されていることが前提になっている。そのため、特許文献１、２に開示されている手法は、データサーバとして機能するＤＬＮＡ機器がネットワークから接続が解除されている場合に適用できない。
【０００８】
本発明の目的は、機器がネットワークに接続してない場合でも、過去及び現在のアクセス履歴から、ネットワークに接続していない機器が保持するフォルダを表示することができる、電子機器、通信方法、通信プログラム、及び通信システムを提供する。
【課題を解決するための手段】
【０００９】
本発明は、ＴＣＰ／ＩＰネットワークを介して一又は複数の他機器と接続可能な電子機器であって、表示部と、前記一又は複数の他機器から、前記一又は複数の他機器が保持するフォルダへのアクセス履歴を示すフォルダ巡回履歴を取得するフォルダ巡回履歴管理部と、前記取得されたフォルダ巡回履歴に基づき、前記他機器のフォルダ階層情報及び巡回ルート毎に巡回先のフォルダへの他機器のアクセス状態を示す巡回情報管理テーブルを生成するフォルダ構造解析部と、前記巡回情報管理テーブル及び前記他機器のフォルダ階層情報を記憶する蓄積部と、前記蓄積部に記憶されたフォルダ階層情報に基づき、現在アクセス不可能である前記他機器のフォルダ、又は現在アクセス可能な前記他機器のフォルダを含むフォルダ構造イメージを生成するフォルダ構造イメージ生成部と、前記フォルダ構造イメージ生成部が生成したフォルダ構造イメージに基づき、現在アクセス不可能である前記他機器のフォルダ、又は現在アクセス可能な前記他機器のフォルダへの巡回アクセス履歴を前記表示部に表示させる表示制御部と、を備えた電子機器を提供する。
【００１０】
上記電子機器は、前記一又は複数の他機器とデータを送受信する通信制御部を備え、現在アクセス不可能である前記他機器のフォルダへ巡回アクセスを予約する場合、前記フォルダ巡回履歴管理部が、現在アクセス不可能である前記他機器のフォルダを指定し、前記フォルダ巡回履歴管理部が指定した前記他機器のフォルダにアクセス可能になると、前記通信制御部が、前記フォルダ巡回履歴管理部が指定した前記他機器のフォルダ内にあるデータをダウンロード（Ｄｏｗｎｌｏａｄ）するか、又は引き出す（ＰＵＬＬ）し、前記表示制御部が、前記他機器のフォルダから前記通信制御部を介してダウンロード（Ｄｏｗｎｌｏａｄ）したデータ、又は引き出された（ＰＵＬＬ）データを前記表示部に表示させる。
【００１１】
上記電子機器は、前記巡回情報管理テーブルに含まれる前記他機器のフォルダのフォルダ情報に含まれるアクセス頻度を参照して、前記他機器のフォルダのアクセス経路を示すフォルダパスの設定を変更するフォルダ巡回情報取得部を備え、前記フォルダ巡回情報取得部が、前記他機器のフォルダへのアクセス頻度が所定値以上であると判定した場合には、前記表示制御部は、前記他機器のフォルダのアクセス経路を示すフォルダパスの設定を変更の確認を促すメッセージを前記表示部に表示させる。
【００１２】
上記電子機器では、前記フォルダ構造解析部は、前記取得されたフォルダ巡回履歴に基づき、巡回ルート毎に巡回先の他機器のフォルダのフォルダ情報に含まれるアクセス頻度、又は注目度を解析し、前記表示制御部は、前記表示部の表示方向に応じて、前記フォルダ構造解析部が解析した前記他機器のアクセス頻度、又は注目度の高い順に前記表示部に前記巡回フォルダ履歴を表示する。
【００１３】
また、本発明は、ＴＣＰ／ＩＰネットワークを介して一又は複数の他機器と接続可能な電子機器における通信方法であって、前記一又は複数の他機器から、前記一又は複数の他機器が保持するフォルダへのアクセス履歴を示すフォルダ巡回履歴を取得するステップと、前記取得されたフォルダ巡回履歴に基づき、前記他機器のフォルダ階層情報及び巡回ルート毎に巡回先のフォルダへの他機器のアクセス状態を示す巡回情報管理テーブルを生成するステップと、前記巡回情報管理テーブル及び前記他機器のフォルダ階層情報を記憶するステップと、前記フォルダ階層情報に基づき、現在アクセス不可能である前記他機器のフォルダ、又は現在アクセス可能な前記他機器のフォルダを含むフォルダ構造イメージを生成するステップと、前記生成されたフォルダ構造イメージに基づき、現在アクセス不可能である前記他機器のフォルダ、又は現在アクセス可能な前記他機器のフォルダへの巡回アクセス履歴を表示部に表示させるステップと、を備える通信方法を提供する。
【００１４】
また、本発明は、コンピュータに、上記通信方法の各ステップを実行させるための通信プログラムを提供する。
【００１５】
また、本発明は、一又は複数の他機器と、ＴＣＰ／ＩＰネットワークを介して前記一又は複数の他機器と接続可能なサーバとを備える通信システムであって、前記サーバは、前記一又は複数の他機器から、前記一又は複数の他機器が保持するフォルダへのアクセス履歴を示すフォルダ巡回履歴を取得するフォルダ巡回履歴管理部と、前記取得されたフォルダ巡回履歴に基づき、前記他機器のフォルダ階層情報及び巡回ルート毎に巡回先のフォルダへの他機器のアクセス状態を示す巡回情報管理テーブルを生成するフォルダ構造解析部と、前記巡回情報管理テーブル及び前記他機器のフォルダ階層情報を記憶する蓄積部と、前記蓄積部に記憶されたフォルダ階層情報に基づき、現在アクセス不可能である前記他機器のフォルダ、又は現在アクセス可能な前記他機器のフォルダを含むフォルダ構造イメージを生成するフォルダ構造イメージ生成部と、を備え、前記一又は複数の他機器は、表示部と、前記サーバと通信する通信制御部と、前記フォルダ構造イメージ生成部が生成したフォルダ構造イメージに基づき、現在アクセス不可能である前記他機器のフォルダ、又は現在アクセス可能な前記他機器のフォルダへの巡回アクセス履歴を前記表示部に表示させる表示制御部と、を備える、通信システムを提供する。
【発明の効果】
【００１６】
本発明に係る電子機器、通信方法、通信プログラム、及び通信システムによれば、機器がネットワークに接続してない場合でも、過去及び現在のアクセス履歴から、ネットワークに接続していない機器が保持するフォルダを表示することができる、電子機器、通信方法、通信プログラム、及び通信システムを提供する。
【図面の簡単な説明】
【００１７】
【図１】本発明の実施の形態に係る電子機器１００を含む通信システムを示す図
【図２】本実施の形態に係る電子機器１００の構成を示すブロック図
【図３】フォルダ巡回履歴の一例を示す図
【図４】ユーザ巡回情報の一例を示す図
【図５】フォルダ構造イメージの一例を説明するための図
【図６】（ａ）巡回フォルダ履歴の一例、（ｂ）（ａ）に示す巡回フォルダ履歴の使用例（１）
【図７】（ａ）、（ｂ）、巡回フォルダ履歴の使用例（２）を説明するための図
【図８】（ａ）、（ｂ）、（ｃ）、巡回フォルダ履歴の使用例（３）を説明するための図
【図９】（ａ）、（ｂ）、巡回フォルダ履歴の使用例（４）を説明するための図
【図１０】（ａ）、（ｂ）、巡回フォルダ履歴の使用例（５）を説明するための図
【図１１】（ａ）、（ｂ）、巡回フォルダ履歴の使用例（６）を説明するための図
【図１２】電子機器１００の動作フロー（１）
【図１３】電子機器１００の動作フロー（２）
【図１４】電子機器１００の動作フロー（３）
【発明を実施するための形態】
【００１８】
以下、本発明の実施形態について、図面を参照して説明する。
【００１９】
（第１の実施形態）
図１は、本発明の実施の形態に係る電子機器１００を含む通信システムを示す図である。図１に示す通信システムでは、電子機器１００が、ネットワーク（ＴＣＰ／ＩＰネットワーク）２００を介して、巡回履歴対応機器群Ｐの各機器と、巡回履歴非対応機器群Ｑの各機器とに接続する。
【００２０】
本実施の形態では、電子機器１００、巡回履歴対応機器群Ｐの各機器ｎ（ｎ：自然数）、巡回履歴非対応機器群Ｑの各機器ｍ（ｍ：自然数）は、ＤＬＮＡ対応機器であるとする。なお、巡回履歴非対応機器群Ｑの各機器ｍは、例えばテレビやサーバなどの、本発明の一つの特徴である巡回履歴機能を有しない電子機器であり、巡回履歴対応機器群Ｐの各機器ｎは、電子機器１００と同様の構成を有する電子機器である。
【００２１】
図２は、本実施の形態に係る電子機器１００の構成を示すブロック図である。図２に示す電子機器１００は、表示制御部１０４と、キー操作部１０５と、タッチパネル制御部１０６と、表示部１０７と、通信制御部１０８と、巡回解析部１１５と、を備える。さらに、巡回解析部１１５は、フォルダ巡回履歴管理部１０９と、フォルダ構造解析部１１０と、フォルダ巡回情報取得部１１１と、フォルダ構造イメージ生成部１１２と、サーバ巡回情報蓄積部１１３と、メディアサーバ制御部１１４と、を備える。
【００２２】
キー操作部１０５は、キー操作入力を受け付けて、表示制御部１０４へ出力する。
【００２３】
タッチパネル制御部１０６は、表示部１０７に一体で設けられているタッチパネルを制御する。
【００２４】
通信制御部１０８は、アンテナ１０８Ａを介して、他の電子機器とネットワーク２００を介して通信するための各種制御を行う。
【００２５】
巡回解析部１１５は、（１）ネットワーク（ＴＣＰ／ＩＰネットワーク）２００に接続されるＤＬＮＡ対応機器からアクセス履歴を取得する機能と、（２）取得したアクセス履歴を解析し、フォルダ構造の仮想的なイメージを作成する機能を有する。ここで、仮想的なイメージとは、画像やスクリプトなどを指す。
【００２６】
フォルダ巡回履歴管理部１０９は、例えば、ネットワーク（ＴＣＰ／ＩＰネットワーク）２００に接続されるＤＬＮＡ対応機器から、機器リストとして表示する機器の情報を定期的に取得する際に、各ＤＬＮＡ対応機器のアクセス履歴を取得し、フォルダ構造解析部１１０へ出力する。
【００２７】
ここで、フォルダ巡回履歴管理部１０９が取得した各ＤＬＮＡ対応機器のアクセス履歴には、フォルダパスを示す「フォルダ巡回履歴」と、「最終巡回日」と、「総アクセス数」と、「デイリーアクセス数」と、「平均到達時間（ｍｍ：ｓｓ）」と、「更新の有無」と、「巡回アクセス予約」とが含まれる。アクセス履歴は、巡回ルート番号毎に取得される。
【００２８】
フォルダ巡回履歴管理部１０９は、「巡回アクセス予約」が実行されると、機器リストを取得する際に、現在アクセスできない他の電子機器が保持するフォルダにアクセスする。このような動作により、電子機器１００は、現在アクセスできない他の電子機器が再度ネットワーク２００に接続された際に、アクセスできなかったフォルダにも巡回アクセスすることができる。
【００２９】
「巡回ルート番号」は、フォルダ巡回履歴管理部１０９が巡回した順番に付記される番号である。「フォルダパス」は、フォルダ巡回履歴管理部１０９が巡回したフォルダパスを示す。「最終巡回日」は、フォルダ巡回履歴管理部１０９が巡回した最も直近の日付を示す。
【００３０】
「総アクセス数」は、フォルダ巡回履歴管理部１０９が過去に巡回した回数の合計を示す。「デイリーアクセス数」は、フォルダ巡回履歴管理部１０９が今日巡回した回数を示す。「平均到達時間（ｍｍ：ｓｓ）」は、フォルダ巡回履歴管理部１０９がフォルダパスの先のファイルに到達するまでの平均時間を示す。「平均到達時間（ｍｍ：ｓｓ）」は、「総アクセス数」で平均をとる。
【００３１】
「更新の有無」は、「フォルダパス」の先に存在するファイルが前回巡回した時から更新されたか否かを示す情報である。更新された場合には「有」、更新されていない場合には「無」と表示される。
【００３２】
「巡回アクセス予約」は、過去のフォルダ巡回履歴に基づき指定したファイルがネットワーク２００上に存在しない場合に後でフォルダ巡回履歴管理部１０９が指定したファイルが存在するフォルダパスを巡回するための予約の有無を示す情報である。予約がある場合には「有」、予約がない場合には「無」と表示される。
【００３３】
なお、本実施の形態では、フォルダ巡回履歴を取得できる機器は巡回履歴対応機器群Ｐの各機器ｎであり、巡回履歴非対応機器群Ｑの各機器ｍはフォルダ巡回履歴を取得できない。
【００３４】
図３に「フォルダ巡回履歴」の一例を示す。なお、フォルダパス内の「００００００Ｂ」は、フォルダ巡回履歴管理部１０９が巡回した機器を特定する情報である。
【００３５】
例えば、巡回ルート番号「１００１０４」では、フォルダパスは、「００００００Ｂ：ＤＬＮＡ  Ｃｏｎｔｅｎｔｓ／０３＿Ｖｉｄｅｏ／Ｇａｍｅ」である。巡回ルート番号「１００１０６」では、フォルダパスは、「００００００Ｂ：ＤＬＮＡ  Ｃｏｎｔｅｎｔｓ／０２＿Ｐｉｃｕｔｕｒｅ／２００９１２」である。巡回ルート番号「１００１０７」では、フォルダパスは、「００００００Ｂ：ＤＬＮＡ  Ｃｏｎｔｅｎｔｓ／０２＿Ｐｉｃｕｔｕｒｅ／２０１００４１４−１６」である。巡回ルート番号「１００１０８」では、フォルダパスは、「００００００Ｂ：ＤＬＮＡ  Ｃｏｎｔｅｎｔｓ／０３＿Ｖｉｄｅｏ／ＴＶ」である。巡回ルート番号「１００１０９」では、フォルダパスは、「００００００Ｂ：ＤＬＮＡ  Ｃｏｎｔｅｎｔｓ／０１＿Ｍｕｓｉｃ／２０１０１１」である。
【００３６】
フォルダ構造解析部１１０は、フォルダ巡回履歴管理部１０９から入力されたフォルダ巡回履歴を解析し、巡回ルート番号毎にフォルダへのアクセス状態を示すユーザ巡回情報を生成し、サーバ巡回情報蓄積部１１３へ出力する。また、フォルダ構造解析部１１０は、巡回ルート番号毎にフォルダ階層情報を生成する。フォルダ階層情報とは、フォルダパスからファイルが存在するフォルダまでの階層の数を示す情報である（例えば、図３参照）。フォルダ階層情報は、フォルダ巡回履歴と共に、サーバ巡回情報蓄積部１１３へ出力される。
【００３７】
フォルダ構造解析部１１０は、予測した候補リストへの巡回アクセス予約を行う場合には、フォルダ巡回履歴管理部１０９から入力されたフォルダ巡回履歴（電子機器１００のユーザ自身が現在保持している巡回フォルダ履歴）のフォルダパスに基づき、そのフォルダの下位のフォルダ構造を類推し、類推したフォルダ名をフォルダ構造イメージ生成部１１２へ出力する。
【００３８】
図３に示すように、巡回ルート番号「１００１０４」のフォルダパス「００００００Ｂ：ＤＬＮＡ  Ｃｏｎｔｅｎｔｓ／０３＿Ｖｉｄｅｏ／Ｇａｍｅ」の階層数は３であり、巡回ルート番号「１００１０４」のフォルダ階層情報は３である。巡回ルート番号「１００１０６」のフォルダパス「００００００Ｂ：ＤＬＮＡ  Ｃｏｎｔｅｎｔｓ／０２＿Ｐｉｃｕｔｕｒｅ／２００９１２」の階層数は３であり、巡回ルート番号「１００１０６」のフォルダ階層情報は３である。巡回ルート番号「１００１０７」のフォルダパス「００００００Ｂ：ＤＬＮＡ  Ｃｏｎｔｅｎｔｓ／０２＿Ｐｉｃｕｔｕｒｅ／２０１００４１４−１６」の階層数は３であり、巡回ルート番号「１００１０７」のフォルダ階層情報は３である。巡回ルート番号「１００１０８」のフォルダパス「００００００Ｂ：ＤＬＮＡ  Ｃｏｎｔｅｎｔｓ／０３＿Ｖｉｄｅｏ／ＴＶ」の階層数は３である。巡回ルート番号「１００１０８」のフォルダ階層情報は３である。巡回ルート番号「１００１０９」のフォルダパス「００００００Ｂ：ＤＬＮＡ  Ｃｏｎｔｅｎｔｓ／０１＿Ｍｕｓｉｃ／２０１０１１」の階層数は３であり、巡回ルート番号「１００１０９」のフォルダ階層情報は３である。
【００３９】
サーバ巡回情報蓄積部１１３は、フォルダ巡回履歴管理部１０９が巡回ルート番号毎に管理する要素をユーザ巡回情報として蓄積する。サーバ巡回情報蓄積部１１３は、ユーザ巡回情報として、「フォルダ巡回履歴」と、「最終巡回日」と、「総アクセス数」と、「デイリーアクセス数」と、「平均到達時間（ｍｍ：ｓｓ）」と、「更新の有無」と、「巡回アクセス予約」とを蓄積する。
【００４０】
図４にユーザ巡回情報の一例を示す。なお、説明のため、図４にはフォルダ巡回履歴も示す。図４に示すユーザ巡回情報は、フォルダ巡回履歴管理部１０９が、ネットワーク２００に接続されているＤＬＮＡ対応機器を定期的に巡回したものである。なお、図４に示すユーザ巡回情報では、巡回ルート番号「０００１０２」が「総アクセス数」と「平均到達時間」が一番多いルートである。
【００４１】
巡回ルート番号「０００１０１」に対して、「最終巡回日」は「２０１０／１０／２９」であり、「総アクセス数」は１回であり、「デイリーアクセス数」は０回であり、「平均到達時間（ｍｍ：ｓｓ）」は「００：２０」であり、「更新の有無」は無であり、「巡回アクセス予約の有無」は無である。また、巡回ルート番号「０００１０１」のフォルダパスは、「００００００Ｂ：ＤＬＮＡ  Ｃｏｎｔｅｎｔｓ／０１＿Ｍｕｓｉｃ」である。
【００４２】
巡回ルート番号「０００１０２」に対して、「最終巡回日」は「２０１０／１０／３０」であり、「総アクセス数」は２回であり、「デイリーアクセス数」は０回であり、「平均到達時間（ｍｍ：ｓｓ）」は「００：３５」であり、「更新の有無」は無であり、「巡回アクセス予約の有無」は無である。また、巡回ルート番号「０００１０２」のフォルダパスは、「００００００Ｂ：ＤＬＮＡ  Ｃｏｎｔｅｎｔｓ／０２＿Ｐｉｃｔｕｒｅ／２０１００４１３」である。
【００４３】
巡回ルート番号「０００１０３」に対して、「最終巡回日」は「２０１０／１１／０１」であり、「総アクセス数」は１回であり、「デイリーアクセス数」は０回であり、「平均到達時間（ｍｍ：ｓｓ）」は「００：５０」であり、「更新の有無」は無であり、「巡回アクセス予約の有無」は無である。また、巡回ルート番号「０００１０３」のフォルダパスは、「００００００Ｃ：ＤＬＮＡ  Ｃｏｎｔｅｎｔｓ／０３＿Ｖｉｄｅｏ／Ｄｏｗｎｌｏａｄ  Ｆｉｌｅｓ／ｔｅｓｔ２／ｓａｍｐｌｅ３」である。
【００４４】
巡回ルート番号「０００１０４」に対して、「最終巡回日」は「２０１０／１１／０１」であり、「総アクセス数」は２回であり、「デイリーアクセス数」は１回であり、「平均到達時間（ｍｍ：ｓｓ）」は「００：１０」であり、「更新の有無」は無であり、「巡回アクセス予約の有無」は無である。また、巡回ルート番号「０００１０４」のフォルダパスは、「００００００Ｃ：ＤＬＮＡ  Ｃｏｎｔｅｎｔｓ／０３＿Ｖｉｄｅｏ／Ｄｏｗｎｌｏａｄ  Ｆｉｌｅｓ／ｔｅｓｔ２」である。
【００４５】
フォルダ巡回情報取得部１１１は、フォルダ構造解析部１１０から入力された巡回ルート番号毎のフォルダ階層情報、及びサーバ巡回情報蓄積部１１３に蓄積されている巡回ルート番号毎の「ユーザ巡回情報」を参照して、フォルダ構造をイメージ化するのに必要な情報を取得して、フォルダ構造イメージ生成部１１２に出力する。
【００４６】
例えば、フォルダ巡回情報取得部１１１は、アクセス時間を短縮するために、フォルダパスの設定変更を行う場合には、フォルダパスのフォルダ先のアクセス頻度が所定値以上であるか否かを判定する。フォルダパスのフォルダ先のアクセス頻度が所定値以上である場合には、表示部１０７に、選択したフォルダのフォルダパスの変更の確認を示すメッセージを表示するための指示を、フォルダ構造イメージ生成部１１２へ出力する。
【００４７】
フォルダ構造イメージ生成部１１２は、フォルダ巡回情報取得部１１１から入力された情報に基づき、現在、電子機器１００がネットワーク２００上でアクセス可能なフォルダを表示部１０７にイメージとして表示するためにフォルダ構造イメージを生成し、表示制御部１０４に出力する。フォルダ構造イメージ生成部１１２は、深い層にあるフォルダから順に階層毎にフォルダ構造イメージを作成する。
【００４８】
また、フォルダ構造イメージ生成部１１２は、フォルダ巡回情報取得部１１１から入力された情報に基づき、過去にアクセス可能であったが、現在アクセス不可能なフォルダを、表示部１０７にイメージとして表示するためにフォルダ構造イメージを生成し、表示制御部１０４に出力する。この場合、巡回フォルダ履歴上にあるフォルダに現在アクセスできない旨を表示するアイコンなどを重畳して表示する。
【００４９】
また、フォルダ構造イメージ生成部１１２は、予測した候補リストへの巡回アクセス予約を行う場合には、フォルダ構造解析部１１０から入力されたフォルダ名に基づき、巡回アクセス予約の候補リストとして、該当するフォルダに配下に表示されるようフォルダ構造イメージを作成する。
【００５０】
また、フォルダ構造イメージ生成部１１２は、フォルダ巡回情報取得部１１１からの指示に基づき、フォルダパスの設定変更を行う場合には、表示部１０７に、選択したフォルダのフォルダパスの変更の確認を示すメッセージを表示するようフォルダ構造イメージを作成する。
【００５１】
メディアサーバ制御部１１４は、ネットワーク（ＴＣＰ／ＩＰネットワーク）２００に接続される巡回履歴非対応機器群Ｑの電子機器から、機器リストとして表示する機器の情報を定期的に取得する際に、機器リストと電子機器が保持するコンテンツの一覧を取得して、表示制御部１０４へ出力する。
【００５２】
図５を参照してフォルダ構造イメージの一例を説明する。図５の左側には、表示部１０７に表示されたフォルダ構造画面を示し、図５の右側にはフォルダ構造画面に対応する巡回フォルダ履歴を示す。なお、各フォルダパスの先頭にある“００００００Ｂ”は、電子機器１００にネットワーク２００を介して接続する電子機器の一つを示す。
【００５３】
なお、図５に示すフォルダ構造画面は、電子機器１００にネットワーク２００を介して接続する１つの電子機器が保持するフォルダ構造画面であるが、複数の電子機器のフォルダ構造イメージを表示制御部１０４の制御に基づき、表示部１０７にフォルダ構造画面として表示することができる。
【００５４】
巡回ルート番号「１００１０４」のフォルダパスについて、フォルダ名「ＤＬＮＡ  Ｃｏｎｔｅｎｔｓ」のフォルダ、フォルダ名「０３＿Ｖｉｄｅｏ」のフォルダ、フォルダ名「Ｇａｍｅ」のフォルダが生成され、図５に示すように表示部１０７に表示される。
【００５５】
また、巡回ルート番号「１００１０６」のフォルダパスについて、フォルダ名「ＤＬＮＡ  Ｃｏｎｔｅｎｔｓ」のフォルダ、フォルダ名「０２＿Ｐｉｃｕｔｕｒｅ」のフォルダ、フォルダ名「２００９１２」のフォルダが生成され、図５に示すように表示部１０７に表示される。
【００５６】
また、巡回ルート番号「１００１０７」のフォルダパスについて、フォルダ名「ＤＬＮＡ  Ｃｏｎｔｅｎｔｓ」のフォルダ、フォルダ名「０２＿Ｐｉｃｕｔｕｒｅ」のフォルダ、フォルダ名「２０１００４１４−１６」のフォルダが生成され、図５に示すように表示部１０７に表示される。
【００５７】
また、巡回ルート番号「１００１０８」のフォルダパスについて、フォルダ名「ＤＬＮＡ  Ｃｏｎｔｅｎｔｓ」のフォルダ、フォルダ名「０３＿Ｖｉｄｅｏ」のフォルダ、フォルダ名「ＴＶ」のフォルダが生成され、図５に示すように表示部１０７に表示される。
【００５８】
また、巡回ルート番号「１００１０９」のフォルダパスについて、フォルダ名「ＤＬＮＡ  Ｃｏｎｔｅｎｔｓ」のフォルダ、フォルダ名「０１＿Ｍｕｓｉｃ」のフォルダ、フォルダ名「２０１０１１」のフォルダが生成され、図５に示すように表示部１０７に表示される。
【００５９】
フォルダは、フォルダ構造イメージ生成部１１２により、深い層にあるフォルダから順に階層毎に作成される。そのため、図５に示す例では、一番深い階層にある、フォルダ名「Ｇａｍｅ」、フォルダ名「２００９１２」、フォルダ名「２０１００４１４−１６」、フォルダ名「ＴＶ」、フォルダ名「２０１０１１」の各フォルダが生成される。次に、２番目に深い層にある、フォルダ名「０１＿Ｍｕｓｉｃ」、フォルダ名「０３＿Ｖｉｄｅｏ」、フォルダ名「０２＿Ｐｉｃｕｔｕｒｅ」の各フォルダが生成される。そして、最後に３番目に深い層にある、ＤＬＮＡ  Ｃｏｎｔｅｎｔｓ」のフォルダが生成される。
【００６０】
表示制御部１０４は、表示部１０７の表示を制御する。表示制御部１０４は、フォルダ構造イメージ生成部１１２から入力されたフォルダ構造イメージに基づき、（１）現在、電子機器１００がネットワーク２００上でアクセス可能なフォルダ、及び（２）過去に電子機器１００がネットワーク２００上でアクセス可能であったが、現在アクセス不可能なフォルダを含む巡回フォルダ履歴を表示するよう表示部１０７を制御する。なお、表示制御部１０４は、巡回フォルダ履歴を表示する向きを、表示部１０７の表示方向に合わせて適宜変更しても良い。
【００６１】
また、表示制御部１０４は、予測した候補リストへの巡回アクセス予約を行う場合には、フォルダ構造イメージ生成部１１２から出力された巡回アクセス予約の候補リストのフォルダ構造イメージに基づき、該当するフォルダに配下に巡回アクセス予約の候補リストが表示されるよう表示部１０７を制御する。なお、表示制御部１０４は、巡回アクセス予約の候補リストを表示する向きを、表示部１０７の表示方向に合わせて適宜変更しても良い。
【００６２】
また、表示制御部１０４は、フォルダ構造イメージ生成部１１２からの指示に基づき、フォルダパスの設定変更を行う場合には、選択したフォルダのフォルダパスの変更の確認を示すメッセージを表示するよう表示部１０７を制御する。
【００６３】
また、表示制御部１０４は、メディアサーバ制御部１１４から取得した、ネットワーク（ＴＣＰ／ＩＰネットワーク）２００に接続される巡回履歴非対応機器群Ｑの電子機器の機器リスト及びこれらの電子機器が保持するコンテンツの一覧を表示部１０７に表示するために、表示部１０７の制御を行う。なお、表示制御部１０４は、巡回履歴非対応機器群Ｑの電子機器の機器リスト及びこれらの電子機器が保持するコンテンツの一覧を表示する向きを、表示部１０７の表示方向に合わせて適宜変更しても良い。
【００６４】
表示部１０７は、タッチパネルが一体で設けられている。また、表示部１０７は、表示制御部１０４の指示の基づき、巡回フォルダ履歴、巡回アクセス予約の候補リストなどを表示する（図５参照）。また、表示部１０７は、メディアサーバ制御部１１４から取得した回履歴非対応機器群Ｑの電子機器の機器リストとそのコンテンツ一覧を表示することができる。この場合、巡回フォルダ履歴と同時に表示しても良いし、異なる画面上で表示しても良い。
【００６５】
次に、図１、図４、図６（ａ）、図６（ｂ）を参照して、２つのカメラＢ、Ｃが保持するフォルダを電子機器１００が巡回した場合の巡回フォルダ履歴の表示例について説明する。図６（ａ）は、表示部１０７に表示された巡回フォルダ履歴の表示例であり、巡回ルート番号０００１０２と巡回ルート番号０００１０３の巡回フォルダを示す。ここで、電子機器１００のユーザ巡回情報及びフォルダ巡回履歴は、図４に示すものであるとする。電子機器１００は、ネットワーク２００を介して、２つのカメラＢ、Ｃと接続されているものとする。また、２つのカメラＢ、Ｃは巡回履歴対応機器群Ｐに含まれる電子機器である（図１参照）。
【００６６】
図６（ａ）に示すように、表示部１０７の上部には巡回ルート番号０００１０２に対応するフォルダ構造イメージが表示される。ここで、巡回ルート番号「０００１０２」のフォルダパスは、「００００００Ｂ：ＤＬＮＡ  Ｃｏｎｔｅｎｔｓ／０２＿Ｐｉｃｔｕｒｅ／２０１００４１３」である（図４参照）。そのため、図６（ａ）では、電子機器１００の巡回先であるカメラＢのフォルダ「２０１００４１３」のアイコンが開いた状態でハイライトされている。
【００６７】
また、図６（ａ）に示すように、表示部１０７の下部には巡回ルート番号０００１０３に対応するフォルダ構造イメージが表示される。ここで、巡回ルート番号「０００１０３」のフォルダパスは、「００００００Ｃ：ＤＬＮＡ  Ｃｏｎｔｅｎｔｓ／０３＿Ｖｉｄｅｏ／Ｄｏｗｎｌｏａｄ  Ｆｉｌｅｓ／ｔｅｓｔ２／ｓａｍｐｌｅ３」である（図４参照）。そのため、図６（ａ）では、電子機器１００の巡回先であるカメラＣのフォルダ「ｓａｍｐｌｅ３」のアイコンが開いた状態でハイライトされている。
【００６８】
なお、表示部１０７に並べる巡回フォルダ履歴の順番は、フォルダ情報に含まれるアクセス頻度、注目度の高い順に表示部１０７の上方から並べても良い。また、フォルダパスの煩雑な順に表示部１０７の上方から表示しても良い。また、お気に入りとして登録しているフォルダを含む巡回フォルダ履歴を優先して、表示部１０７の上方から表示しても良い。なお、巡回フォルダ履歴を表示する向きは、表示部１０７の表示方向に合わせて適宜変更しても良い。
【００６９】
＜巡回フォルダ履歴の使用例（１）＞
次に、図６（ｂ）を参照して、図６（ａ）に示す巡回フォルダ履歴の使用例（１）について説明する。図６（ｂ）は、図６（ａ）に示す巡回フォルダ履歴内のファイルの表示例である。図６（ｂ）ではファイル名「０４１３」のフォルダ内のファイル及びフォルダ名「０４１３」のフォルダのフォルダ情報を示す。電子機１００のユーザが表示部１０７をタッチパネル操作してファイル名「０４１３」のフォルダを選択すると図６（ｂ）に示すようなフォルダ「０４１３」のフォルダ情報及びフォルダ内の画像ファイル１，２がサムネイル表示される。
【００７０】
フォルダ情報には、ファイル数、最終更新日、総アクセス数、巡回フォルダとしての登録の有無、巡回フォルダとして登録している人の数、お気に入り登録の有無、注目度などが含まれる。
【００７１】
ファイル数とは、フォルダ名「０４１３」のフォルダに含まれるファイルの数を示す。巡回フォルダとしての登録の有無とは、フォルダ名「０４１３」のフォルダが巡回フォルダとして登録されているか否かを示す情報である。巡回フォルダとして登録している人の数とは、巡回フォルダとして登録している他の電子機器の数を示す情報である。
【００７２】
お気に入り登録の有無とは、フォルダ名「０４１３」のフォルダをお気に入りとして登録しているか否かを示す情報である。注目度とは、他の電子機器が巡回した頻度に応じて上がる数値である。図６（ｂ）では数値を星の数で示している。なお、最終更新日と総アクセス数とは、ユーザ巡回情報に含まれる情報である。
【００７３】
＜巡回フォルダ履歴の使用例（２）〜巡回アクセス予約〜＞
次に、図７（ａ）、（ｂ）を参照して、巡回フォルダ履歴の使用例（２）について説明する。図７（ａ）、（ｂ）は、巡回アクセス予約前後の巡回フォルダ履歴を示す。
【００７４】
図７（ａ）に示すように、巡回アクセス予約前の巡回フォルダ履歴上では、フォルダ「０１＿Ｍｕｓｉｃ」、「０２＿Ｐｉｃｔｕｒｅ」に×印のマークが重畳して表示されている。また、巡回フォルダ履歴上では、×印のマークの説明として、「機器切断中」と表示される。
【００７５】
この×印のマークは、電子機器１００が、フォルダ名「０１＿Ｍｕｓｉｃ」、「０２＿Ｐｉｃｔｕｒｅ」のフォルダを保持する他の電子機器がネットワーク２００に接続されていない状態を示す。これは、電子機器１００が、ネットワーク２００に接続されている他の複数の電子機器が保持するアクセス可能なフォルダを定期的に巡回しているために取得できる情報である。
【００７６】
そして、電子機器１００のユーザがフォルダ名「０１＿Ｍｕｓｉｃ」、「０２＿Ｐｉｃｔｕｒｅ」のフォルダより深い階層にあるフォルダにアクセスしたい場合には、キー操作部１０５などを介して、「巡回アクセス予約」を実行する。
【００７７】
図７（ｂ）に示すように、巡回アクセス予約後の巡回フォルダ履歴上では、フォルダ「０１＿Ｍｕｓｉｃ」、「０２＿Ｐｉｃｔｕｒｅ」の下層フォルダ「Ｊ−ＰＯＰ」、「旅行」に、巡回アクセス予約を示すチェック印のマークが重畳して表示されている。また、巡回フォルダ履歴上では、チェック印のマークの説明として、チェック印と共に「予約」という文字が表示される。
【００７８】
上述のように、本実施の形態に係る電子機器１００は、アクセス履歴から、現在ネットワーク２００上に存在する電子機器と過去に接続されていた電子機器とを識別し、過去にアクセス可能であったフォルダと、現在アクセス可能であるフォルダとを、巡回フォルダ履歴上に区別して表示することができる。
【００７９】
また、本実施の形態に係る電子機器１００は、現在ネットワーク２００上に存在しない他の電子機器に対しても、過去のアクセス履歴から、フォルダ構造イメージを仮想的に再現して、視覚的にユーザへ提示することができる。
【００８０】
＜巡回フォルダ履歴の使用例（３）〜巡回アクセス予約後の再接続〜＞
図８（ａ）、（ｂ）、（ｃ）を参照して、巡回フォルダ履歴の使用例（３）について説明する。なお、図８（ａ）の巡回フォルダ履歴は、図７（ｂ）巡回アクセス予約後の巡回フォルダ履歴と同じである。
【００８１】
図８（ａ）に示すように、フォルダ「０１＿Ｍｕｓｉｃ」、「０２＿Ｐｉｃｔｕｒｅ」を保持する他の電子機器Ａがネットワーク２００に再接続した場合には、フォルダ「０１＿Ｍｕｓｉｃ」、「０２＿Ｐｉｃｔｕｒｅ」の下層フォルダ「Ｊ−ＰＯＰ」、「旅行」への巡回アクセス予約の実行確認画面が、巡回フォルダ履歴画面に重畳して表示される。
【００８２】
そして、電子機器１００のユーザが、巡回アクセス予約の実行確認画面でＹＥＳを選択すると、フォルダ「０１＿Ｍｕｓｉｃ」、「０２＿Ｐｉｃｔｕｒｅ」の下層フォルダ「Ｊ−ＰＯＰ」、「旅行」への巡回アクセス予約が実行される。
【００８３】
この場合、巡回アクセスする下層フォルダ「Ｊ−ＰＯＰ」、「旅行」内の画像ファイルにアクセスする方法には２つある。１つは、下層フォルダ「Ｊ−ＰＯＰ」、「旅行」内の画像ファイルを電子機器１００にダウンロード（Ｄｏｗｎｌｏａｄ）する方法（図８（ｂ）参照）であり、２つめは、下層フォルダ「Ｊ−ＰＯＰ」、「旅行」内の画像ファイルを引き出して（Ｐｕｌｌ）スライドショーを実行する方法である（図８（ｃ）参照）。
【００８４】
図８（ｂ）に示すように、下層フォルダ「Ｊ−ＰＯＰ」、「旅行」への巡回アクセス予約が実行されると、下層フォルダ「Ｊ−ＰＯＰ」、「旅行」内のファイルがダウンロードされる。この場合、下層フォルダ「Ｊ−ＰＯＰ」内のファイルをダウンロード中であることを示す文字“ＧＥＴ！”が、下層フォルダ「Ｊ−ＰＯＰ」のアイコンに重畳して表示される。
【００８５】
図８（ｃ）に示すように、下層フォルダ「旅行」への巡回アクセス予約が実行されると、下層フォルダ「旅行」内の複数のファイル（例えば、画像ファイル３）のスライドショーが実行される。また、巡回フォルダ履歴画面に表示される停止ボタンがユーザによりタッチされれば、スライドショーの実行が中止される。
【００８６】
上述のように、本実施の形態に係る電子機器１００は、過去にアクセス不可能であったフォルダに巡回アクセス予約することができ、そのフォルダを保持する他の電子機器がネットワーク２００に再接続した時には、そのフォルダの配下のファイルについて自動的にダウンロード、又はスライドショーを実行することができる。さらには、本実施の形態に係る電子機器１００は、過去にアクセス不可能であったフォルダに巡回アクセス予約実行後に、再度巡回アクセスすると、フォルダ構造イメージを更新することができる。
【００８７】
なお、巡回アクセス予約の対象を、過去にアクセス不可能であったフォルダに限定しているがこれに限らない。本実施の形態に係る電子機器１００は、例えば、現在アクセス可能なフォルダに対して所定の時刻に巡回アクセス予約を内蔵するタイマーなどにより実行することも可能である。
【００８８】
＜巡回フォルダ履歴の使用例（４）〜予測した候補リストへの巡回アクセス予約〜＞
図９（ａ）、（ｂ）を参照して、巡回フォルダ履歴の使用例（４）について説明する。図９（ａ）に示すように、フォルダ「０１＿Ｍｕｓｉｃ」、「０２＿Ｐｉｃｔｕｒｅ」、「０３＿Ｖｉｄｅｏ」を保持する他の電子機器Ａがネットワーク２００に接続していない状態において、他の電子機器Ａで作成される「０２＿Ｐｉｃｔｕｒｅ」配下のフォルダを電子機器１００が予測して、予測したフォルダを含むフォルダ構造イメージを巡回フォルダ履歴に表示するか否かを選択することができる。
【００８９】
例えば、「０２＿Ｐｉｃｔｕｒｅ」配下に日付フォルダ「２０１００４１４−１６」には、現在アクセスできないものの、日付フォルダ「０４１４」、「０４１５」、「０４１６」が生成されていることが予測される。そのため、電子機器１００は、フォルダ名から類推して、配下のフォルダを含むフォルダ構造イメージを巡回フォルダ履歴に表示することができる。本例では、なお、フォルダ「２０１００４１４−１６」のように、フォルダ名に含まれる日付情報から配下のフォルダ名を類推できる。
【００９０】
なお、日付情報以外にも、たとえばフォルダ名が「好きな歌番組」であれば、その配下のフォルダ名も好きな歌番組Ａと言ったようにそのフォルダ名を類推できる。この場合、フォルダ名に含まれる好きな歌番組が単語情報となる。
【００９１】
図９（ａ）では、電子機器１００が予測したフォルダの候補リストを表示するか否かを選択させる表示が巡回フォルダ履歴画面に重畳して表示される。そして、表示部１０７で対象となるフォルダ（例えば、フォルダ「２０１００４１４−１６」）にユーザが指などで接触した後、電子機器１００が予測したフォルダの候補リストを表示する“ＹＥＳ”を選択すると、図９（ｂ）に示すように、電子機器１００が予測したフォルダの候補リストとして、日付フォルダ「０４１４」、「０４１５」、「０４１６」のフォルダイメージが巡回フォルダ履歴画面に表示される。そして、ユーザは、表示部１０７上で、予測したフォルダの候補リストから巡回フォルダ予約を実行するフォルダを選択することができる。選択する際には、電子機器１００のユーザは、表示部１０７の確定ボタンを押す。そして、フォルダの候補リストのひとつを選択した場合には、該当するフォルダの横に表示されるチェックボックスにチェック印が表示される。
【００９２】
上述のように、本実施の形態に係る電子機器１００は、ネットワーク２００に接続していない他の電子機器が保持するフォルダについても、電子機器１００のユーザ自身が現在保持している巡回フォルダ履歴に基づきそのフォルダの下位のフォルダ構造を類推し、類推したフォルダに事前に巡回アクセス予約を行うことができる。
【００９３】
＜巡回フォルダ履歴の使用例（５）〜レーティング：フォルダパス変更リクエスト〜＞
図１０（ａ）、（ｂ）を参照して、巡回フォルダ履歴の使用例（５）について説明する。本実施の形態に係る電子機器１００では、ユーザ巡回情報に含まれる「総アクセス数」、「デイリーアクセス数」などの情報に基づき、巡回フォルダ履歴で選択したフォルダパス先のフォルダのアクセス頻度に応じて、そのフォルダを保持する電子機器に対してフォルダパスの変更を実行することができる。
【００９４】
図１０（ａ）に示すように、巡回フォルダ履歴上で選択したフォルダパス「００００００Ｂ：ＤＬＮＡ  Ｃｏｎｔｅｎｔｓ／０２＿Ｐｉｃｔｕｒｅ／Ｄｏｗｎｌｏａｄｓ  Ｆｉｌｅｓ」先のフォルダ「Ｄｏｗｎｌｏａｄｓ  Ｆｉｌｅｓ」の「総アクセス数」又は「デイリーアクセス数」が多い場合には、選択したフォルダパスの変更を促すメッセージを巡回フォルダ履歴に重畳して表示される。
【００９５】
そして、表示部１０７上でフォルダパスの変更（ＹＥＳ）を選択すると、図１０（ｂ）に示す更新画面へ遷移する。図１０（ｂ）に示す更新画面では、フォルダパス変更前後のフォルダ構造イメージを表示するとともに、フォルダパス変更による効果を追加情報として表示する。例えば、その効果として、（１）変更後のフォルダパス先のフォルダにアクセス時間がどの程度短縮されるか、（２）変更後のフォルダパス先のフォルダの階層がどの程度短縮されるか、といった情報が挙げられる。
【００９６】
そして、図１０（ｂ）に示す更新画面を電子機器１００のユーザがタッチすると、更新処理を実行する。つまり、フォルダパス「００００００Ｂ：ＤＬＮＡ  Ｃｏｎｔｅｎｔｓ／０２＿Ｐｉｃｔｕｒｅ／Ｄｏｗｎｌｏａｄｓ  Ｆｉｌｅｓ」が、「００００００Ｂ：ＤＬＮＡ  Ｃｏｎｔｅｎｔｓ／０３＿Ｖｉｄｅｏｓ／Ｄｏｗｎｌｏａｄｓ  Ｆｉｌｅｓ」に変更される。
【００９７】
上述のように、本実施の形態に係る電子機器１００では、ユーザ巡回情報に含まれる「総アクセス数」、「デイリーアクセス数」などの情報に基づき、巡回フォルダ履歴で選択したフォルダパス先のフォルダのアクセス頻度に応じて、そのフォルダを保持する他の電子機器に対して、フォルダパスの変更を実行することができる。
【００９８】
＜巡回フォルダ履歴の使用例（６）〜レーティング：フォルダ削除保護〜＞
図１１（ａ）、（ｂ）を参照して、巡回フォルダ履歴の使用例（６）について説明する。本実施の形態に係る電子機器１００では、ユーザ巡回情報に含まれる「総アクセス数」、「デイリーアクセス数」などの情報に基づき、巡回フォルダ履歴で選択したフォルダパス先のフォルダのアクセス頻度に応じて、そのフォルダを保持する電子機器に対して、フォルダパス先のフォルダの削除を実行することができる。ただし、フォルダパス先のフォルダの削除は、そのフォルダを保持する電子機器において、そのフォルダの削除保護の設定がなされている場合には実行できない。
【００９９】
図１１（ａ）に示すフォルダ削除画面において、巡回フォルダ履歴内のフォルダ「０２＿Ｐｉｃｔｕｒｅ」及びその配下のフォルダ「ｔｍｐ」、フォルダ「結婚式」、フォルダ「壁紙」、フォルダ「旅行」が予めフォルダ削除の禁止範囲に含まれているものとする。
【０１００】
図１１（ａ）に示すフォルダ削除画面において、フォルダ削除を実行するフォルダとして、フォルダ「旅行」を選択すると、図１１（ｂ）に示すフォルダ削除画面に選択したフォルダパスが他ユーザにより削除保護されている旨のメッセージが重畳して表示される。
【０１０１】
図１２を参照して、電子機器１００の動作フロー（１）について説明する。ステップＳ１では、フォルダ巡回履歴管理部１０９が、現在フォルダ巡回履歴を保持しているか否かを判定する。保持している場合には、ステップＳ３へ遷移し、そうでない場合にはステップＳ９へ遷移する。
【０１０２】
ステップＳ３では、フォルダ巡回履歴管理部１０９が、機器リストとして表示する機器の情報を定期的に取得する際に、ネットワーク（ＴＣＰ／ＩＰネットワーク）２００に接続される電子機器からアクセス履歴を取得する。そして、ステップＳ５へ遷移する。
【０１０３】
ステップＳ５では、フォルダ構造解析部１１０は、フォルダ巡回履歴のフォルダパスからファイルが存在するフォルダまでの階層を解析し、巡回ルート番号毎にフォルダ階層情報を生成する。そして、ステップＳ７へ遷移する。
【０１０４】
ステップＳ７では、フォルダ巡回情報取得部１１１が、巡回ルート番号毎のフォルダ階層情報及び、巡回ルート番号毎の「ユーザ巡回情報」を参照して、フォルダ構造をイメージ化するのに必要な情報を取得する。そして、ステップＳ９へ遷移する。
【０１０５】
ステップＳ９では、通信制御部１０８が、ネットワーク（ＴＣＰ／ＩＰネットワーク）２００に接続される他の電子機器が存在するか否かを判定する。存在する場合（ＹＥＳ）には、ステップＳ１３へ遷移し、そうでない場合（ＮＯ）には、ステップＳ１１へする。
【０１０６】
ステップＳ１１では、図７（ａ）、（ｂ）を参照して説明した巡回アクセス予約処理を実行する。そして、ステップＳ２１へ遷移する。
【０１０７】
ステップＳ１３では、巡回アクセス処理が実行される。巡回アクセス処理とは、フォルダ巡回履歴管理部１０９が、機器リストとして表示する機器の情報を定期的に取得する際に、ネットワーク（ＴＣＰ／ＩＰネットワーク）２００に接続される電子機器からアクセス履歴を取得する処理のことである。
【０１０８】
ステップＳ１５では、フォルダ構造イメージ生成部１１２は、フォルダ巡回情報取得部１１１から入力された情報に基づき、（１）現在、電子機器１００がネットワーク２００上でアクセス可能なフォルダ、及び（２）電子機器１００がネットワーク２００上で過去にアクセス可能であったが、現在アクセス不可能なフォルダを、表示部１０７にイメージとして表示するためにフォルダ構造イメージを生成し、表示制御部１０４に出力する。そして、ステップＳ１７へ遷移する。
【０１０９】
ステップＳ１７では、表示部１０７は、表示制御部１０４の制御に基づき、巡回フォルダ履歴を表示する。そして、ステップＳ１９へ遷移する。
【０１１０】
ステップＳ１９では、フォルダ巡回履歴管理部１０９は、巡回アクセスが終了したか否かを判定する。巡回アクセスが終了していない場合（ＮＯ）、ステップＳ１３へ遷移し、巡回アクセスが終了している場合には、ステップＳ２１へ遷移する。
【０１１１】
ステップＳ２１では、フォルダ巡回情報記録処理を実行する。フォルダ巡回情報記録処理とは、サーバ巡回情報蓄積部１１３が、フォルダ巡回履歴管理部１０９が巡回ルート番号毎に管理する要素をユーザ巡回情報（図４参照）として蓄積する処理である。そして処理を終了する。
【０１１２】
図１３を参照して、電子機器１００の動作フロー（２）について説明する。ステップＳ３１では、通信制御部１０８が、ネットワーク（ＴＣＰ／ＩＰネットワーク）２００に接続される他の電子機器が存在するか否かを判定する。存在する場合（ＹＥＳ）には、ステップＳ１３（図１２参照）へ遷移し、そうでない場合（ＮＯ）には、ステップＳ３３へする。
【０１１３】
ステップＳ３３では、フォルダ構造解析部１１０が、日付情報又は単語情報を含むフォルダ名を取得する。なお、日付情報とは、図９（ａ）、（ｂ）を参照して説明したフォルダ「２０１００４１４−１６」のように、フォルダ名に含まれる日付情報を指す。また、単語情報とは、たとえばフォルダ名が「好きな歌番組」であれば、その配下のフォルダ名として類推される「好きな歌番組Ａ」を指す。
【０１１４】
ステップＳ３５では、フォルダ構造解析部１１０が、日付情報を含むフォルダ名であるか否かを判定し、日付情報を含むフォルダ名であると判定した場合（ＹＥＳ）には、ステップＳ３７へ遷移し、そうでない場合（ＮＯ）にはステップＳ３９へ遷移する。
【０１１５】
ステップＳ３７では、フォルダ構造解析部１１０が、日付情報に基づき、配下のフォルダ名となり得る日付情報を含むフォルダ名を生成し、ステップＳ３９へ遷移する（日付候補生成処理）。
【０１１６】
ステップＳ３９では、フォルダ構造解析部１１０が、単語情報を含むフォルダ名であるか否かを判定し、単語情報を含むフォルダ名であると判定した場合（ＹＥＳ）には、ステップＳ４１へ遷移し、そうでない場合（ＮＯ）にはステップＳ４３へ遷移する。
【０１１７】
ステップＳ４１では、フォルダ構造解析部１１０が、単語情報に基づき、配下のフォルダ名となり得る単語情報を含むフォルダ名を生成し、ステップＳ４３へ遷移する（単語候補生成処理）。
【０１１８】
ステップＳ４３では、フォルダ構造イメージ生成部１１２が、配下のフォルダ名となり得る日付情報を含むフォルダ名、又は、配下のフォルダ名となり得る単語情報を含むフォルダ名に基づき、巡回アクセス予約の候補リストとして、配下のフォルダとなり得る日付情報又は単語情報を含むフォルダを生成する（候補リスト生成処理）。
【０１１９】
ステップＳ４５では、表示部１０７は、巡回フォルダ履歴に、巡回アクセス予約の候補リストとして、配下のフォルダとなり得る日付情報又は単語情報を含むフォルダを該当するフォルダの配下に表示する。そして、ステップＳ４７へ遷移する。
【０１２０】
ステップＳ４７では、表示部１０７に表示された巡回アクセス予約の候補リストから、巡回アクセス予約の対象としたいフォルダを選択する。そして、ステップＳ４９へ遷移する。
【０１２１】
ステップＳ４９では、巡回アクセス予約処理を実行する。フォルダ巡回履歴管理部１０９が、巡回アクセス予約の対象としたいフォルダを保持する他の電子機器がネットワーク２００上に接続された際に、自動的に巡回アクセスする処理を指す（巡回アクセス予約処理）。
【０１２２】
ステップＳ５１では、フォルダ巡回情報記録処理を実行する。フォルダ巡回情報記録処理とは、サーバ巡回情報蓄積部１１３が、フォルダ巡回履歴管理部１０９が巡回ルート番号毎に管理する要素をユーザ巡回情報（図４参照）として蓄積する処理である。そして処理を終了する。
【０１２３】
図１４を参照して、電子機器１００の動作フロー（３）について説明する。ステップＳ１では、フォルダ巡回履歴管理部１０９が、現在フォルダ巡回履歴を保持しているか否かを判定する。保持している場合には、ステップＳ３へ遷移し、そうでない場合にはステップＳ９へ遷移する。
【０１２４】
ステップＳ３では、フォルダ巡回履歴管理部１０９が、機器リストとして表示する機器の情報を定期的に取得する際に、ネットワーク（ＴＣＰ／ＩＰネットワーク）２００に接続される電子機器からアクセス履歴を取得する。そして、ステップＳ５へ遷移する。
【０１２５】
ステップＳ５では、フォルダ構造解析部１１０は、フォルダ巡回履歴のフォルダパスからファイルが存在するフォルダまでの階層を解析し、巡回ルート番号毎にフォルダ階層情報を生成する。そして、ステップＳ７へ遷移する。
【０１２６】
ステップＳ７では、フォルダ巡回情報取得部１１１が、巡回ルート番号毎のフォルダ階層情報及び、巡回ルート番号毎の「ユーザ巡回情報」を参照して、フォルダ構造をイメージ化するのに必要な情報を取得する。そして、ステップＳ６１へ遷移する。
【０１２７】
ステップＳ６１では、フォルダ巡回情報取得部１１１が、ユーザ巡回情報に含まれる「総アクセス数」、「デイリーアクセス数」などの情報に基づき、巡回フォルダ履歴で選択したフォルダパス先のフォルダのアクセス頻度が所定値以上か否かを判定する。そして、ステップＳ６３へ遷移する。
【０１２８】
ステップＳ６３では、フォルダ巡回情報取得部１１１が、選択したフォルダパス先のフォルダが自端末管理対象であるか否かを判定する。具体的には、フォルダを保持する他の電子機器において、そのフォルダの設定変更（削除、パス変更など）が禁止されているか否かを判定する。そして、ステップＳ６５へ遷移する。
【０１２９】
ステップＳ６５では、表示部１０７に、選択したフォルダのフォルダパスの変更の確認を示すメッセージを表示する。そして、ステップＳ６７へ遷移する。
【０１３０】
ステップＳ６７では、フォルダ巡回履歴管理部１０９が、フォルダパスの変更を実行するか否かを判定し、実行する場合にはステップＳ６９へ遷移し、フォルダパス変更処理を実行する。そうでない場合には、ステップＳ１３へ遷移する。
【０１３１】
なお、巡回解析部１１５をサーバとして、電子機器１００と別装置として保持し、電子機器１００と他の電子機器とネットワーク２００と接続されても良い。
【産業上の利用可能性】
【０１３２】
本発明に係る電子機器、通信方法、通信プログラム、及び通信システムは、通信方法及び通信プログラムによれば、機器がネットワークに接続してない場合でも、過去及び現在のアクセス履歴から、ネットワークに接続していない機器が保持するフォルダを表示することができる、という効果を有し、ＤＬＮＡ対応機器等として有用である。
【符号の説明】
【０１３３】
１００  電子機器
１０４  表示制御部
１０５  キー操作部
１０６  タッチパネル制御部
１０７  表示部
１０８  通信制御部
１０９  フォルダ巡回履歴管理部
１１０  フォルダ構造解析部
１１１  フォルダ巡回情報取得部
１１２  フォルダ構造イメージ生成部
１１３  サーバ巡回情報蓄積部
１１４  メディアサーバ制御部
１１５  巡回解析部
２００  ネットワーク
【図１】
2012194654.tif 000003
【図２】
2012194654.tif 000004
【図３】
2012194654.tif 000005
【図４】
2012194654.tif 000006
【図５】
2012194654.tif 000007
【図６】
2012194654.tif 000008
【図７】
2012194654.tif 000009
【図８】
2012194654.tif 000010
【図９】
2012194654.tif 000011
【図１０】
2012194654.tif 000012
【図１１】
2012194654.tif 000013
【図１２】
2012194654.tif 000014
【図１３】
2012194654.tif 000015
【図１４】
2012194654.tif 000016